(57)【要約】【課題】新規な無水小便器を提供する。【解決手段】ビークル用無水小便器であって、小便器はドレンを有する流体ボウルと、ドレン内に配置された無水小便器カートリッジとを含む。カートリッジは、所定量の尿を保持するハウジング内に配置された汚物貯留槽と、所定量の尿を超える尿の量が、排水口を通ってハウジングから流出するように構成された排水口とを有する。カバーは、ハウジングに結合され、ボウルの表面外形の一部を形成し、カバーは、密閉用流体貯留槽と、尿をボウルから密閉用流体貯留槽へ導くための流体流路とを含む。密閉用流体貯留槽は、ハウジングの内部空隙部と連通しており、汚物貯留槽は、ビークルダイナミクスの変化に応答して、尿の移動を汚物貯留槽内で抑制する少なくとも1つの流体流れ制御機構を含む。【選択図】図1B
2019051928.tif 000002
【特許請求の範囲】
【請求項１】
ビークル（100）用無水小便器（155）であって、前記無水小便器（155）は、
ドレン（153）を有する流体ボウル（151）と、
前記ドレン（153）内に取り外し可能に配置された無水小便器カートリッジ（152）であって、前記無水小便器カートリッジ（152）は、
ハウジング（152H）内に配置され、所定量の尿（401）を保持するように構成された汚物貯留槽（200）と、所定量の尿（V）を超える尿（VA）の量は、排水口（201）を通って前記ハウジング（152H）から流出するように構成された排水口（201）とを有する前記ハウジング（152H）と、
前記ハウジング（152H）に結合され前記流体ボウル（151）の表面外形（SC）の一部を形成するカバー（210）であって、前記カバー（210）は、密閉用流体貯留槽（211）と、尿を前記流体ボウル（151）から前記密閉用流体貯留槽（211）に導くための複数の流体流路（152A）とを含み、前記密閉用流体貯留槽（211）は前記ハウジング（152H）の内部空隙部（220）と連通する、カバー（210）と
を含む、無水小便器カートリッジ（152）と
を含む、ビークル（100）用無水小便器（155）であって、
前記汚物貯留槽（200、300）は、ビークル（100）のダイナミクスの変化に応答して尿の移動を前記汚物貯留槽（200、300）内で抑制する少なくとも1つの流体流れ制御機構（260）を含む、ビークル（100）用無水小便器（155）。
【請求項２】
前記ビークル（100）ダイナミクスが、ビークルロール（R）、ビークルピッチ（P）、およびビークルヨー（YW）のうちの1つまたは複数を含む、請求項1に記載の無水小便器（155）。
【請求項３】
前記少なくとも1つの流体流れ制御機構（260）は、前記汚物貯留槽（200、300）を前記ハウジング（152H）に結合するジンバルカップリング（260G）を含む、請求項1または2に記載の無水小便器（155）。
【請求項４】
前記ジンバルカップリング（260G）は、少なくとも1つの自由度の回転を含み、前記少なくとも1つの自由度の回転は、ビークル（100）加速度、迎え角（α）、ビークルロール（R）、ビークルピッチ（P）およびビークルヨー（YW）の1つまたは複数に対応する、請求項3に記載の無水小便器（155）。
【請求項５】
前記汚物貯留槽（200、300）が前記ジンバルカップリング（260G）の一部を形成する、請求項3または4に記載の無水小便器（155）。
【請求項６】
前記少なくとも1つの流体流れ制御機構（260）は、前記汚物貯留槽（200、300）内に配置された少なくとも1つのバッフル（261）を含む、請求項3から5のいずれか一項に記載の無水小便器（155）。
【請求項７】
前記少なくとも1つの流体流れ制御機構（260）は、前記汚物貯留槽（200、300）内に配置された少なくとも1つのバッフル（261）を含む、請求項1から6のいずれか一項に記載の無水小便器（155）。
【請求項８】
前記複数の流体流路（152A）の各々が、前記汚物貯留槽（200、300）から前記流体ボウル（151）への流体流路（152A）の排出を略防止する形状およびサイズを有する、請求項1から7のいずれか一項に記載の無水小便器（155）。
【請求項９】
前記流体ボウル（151）に結合された衛生モジュール（160）をさらに含む、請求項1から8のいずれか一項に記載の無水小便器（155）。
【請求項１０】
前記衛生モジュール（160）が、ユーザ（169）の存在および不在のうちの1つまたは複数を検知する存在検出器（165）を含み、前記存在検出器（165）はコントローラ（199A）に結合され、前記ユーザ（169）の前記存在および前記不在のうちの1つまたは複数を検出すると、前記衛生モジュール（160）によって前記流体ボウル（151）の衛生を生じさせる、請求項9に記載の無水小便器（155）。
【請求項１１】
トイレ（110、111）と、
前記トイレ（110、111）内に配置された無水小便器（155）であって、前記無水小便器（155）は、
ドレン（153）を有する流体ボウル（151）と、
前記ドレン（153）内に取り外し可能に配置された無水小便器カートリッジ（152）であって、前記無水小便器カートリッジ（152）は、
ハウジング（152H）内に配置され、所定量の尿（401）を保持するように構成された汚物貯留槽（200、300）と、前記所定量の尿（V）を超える尿（VA）の量は、排水口（201）を通って前記ハウジング（152H）から流出するように構成された前記排水口（201）とを有する前記ハウジング（152H）と、
前記ハウジング（152H）に結合され前記流体ボウル（151）の表面外形（SC）の一部を形成するカバー（210）であって、前記カバーは、密閉用流体貯留槽（211）と、尿を前記流体ボウル（151）から前記密閉用流体貯留槽（211）に導くための複数の流体流路（152A）とを含み、前記密閉用流体貯留槽（211）は前記ハウジング（152H）の内部空隙部（220）と連通する、カバー（210）と
を含む、無水小便器カートリッジと
を含む、無水小便器（155）と
を含むビークル（100）であって、
前記汚物貯留槽（200、300）は、ビークル（100）のダイナミクスの変化に応答して尿の移動を汚物貯留槽（200、300）内で抑制する少なくとも1つの流体流れ制御機構（260）を含む、
ビークル。
【請求項１２】
前記少なくとも1つの流体流れ制御機構（260）は、前記汚物貯留槽（200、300）を前記ハウジング（152H）に結合するジンバルカップリング（260G）を含む、請求項11に記載のビークル（100）。
【請求項１３】
前記少なくとも1つの流体流れ制御機構（260）は、前記汚物貯留槽（200、300）内に配置された少なくとも1つのバッフル（261）を含む、請求項11または12に記載のビークル（100）。
【請求項１４】
前記流体ボウル（151）の流体保持容積（FVH1，FVH2）が前記無水小便器カートリッジ（152）の流体保持容積（FVH1、FVH2）を超える場合に、前記流体ボウル（151）は前記無水小便器カートリッジ（152）の流体内容物を収容するように構成される、請求項11から13のいずれか一項に記載のビークル（100）。
【請求項１５】
前記ドレン（153）およびビークル汚物タンク（120）に結合された自動フラッシュバルブ（170）であって、前記汚物貯留槽（200、300）からの尿は、前記自動フラッシュバルブ（170）内に集められる、自動フラッシュバルブ（170）をさらに含む、請求項11から14のいずれか一項に記載のビークル（100）。
【発明の詳細な説明】
【技術分野】
【０００１】
本開示の態様は、一般に、輸送ビークル用トイレ、特にビークル用小便器を輸送することに関する。
【背景技術】
【０００２】
一般に、ビークル（例えば、航空機、列車、船舶、レジャー用ビークルなど）上にトイレサービスを提供するために、ビークルは、航空機に搭載された便器を流すために使用される給水を運ぶ。いったん使用されると、水は航空機の排水ホールド内に収容される。この搭載された給水は、ビークルの重量を増加させ、燃料コストの増加およびビークル積載量の制限をもたらす可能性がある。
【０００３】
一般に、ビークル用トイレは完全なトイレである。例えば、完全なトイレとは、シンクと便器を含むトイレである。いくつかの例では、これらの従来のトイレは、シンクおよび便器に加えて小便器を含むように改造される。従来のトイレに小便器が含まれている場合、小便器は流すためにビークルの給水に配管される。小便器の追加は、トイレのサイズを増加させ貴重な客室スペースを減らす（例えば、トイレサイズの増加による乗客着席位置の減少）。一般に、小便器が従来のビークル用トイレに含まれている場合、それらはファーストクラスのトイレにのみ含まれる。
【発明の概要】
【課題を解決するための手段】
【０００４】
以下は、本開示による主題の実施例の非網羅的なリストであり、クレームされてもされなくてもよい。
【０００５】
本開示による主題の一例は、ビークル用無水小便器であって、無水小便器は、ドレンを有する流体ボウルと、ドレン内に取り外し可能に配置された無水小便器カートリッジであって、無水小便器カートリッジは、ハウジング内に配置され、所定量の尿を保持するように構成された汚物貯留槽と、所定量の尿を超える尿の量は、排水口を通ってハウジングから流出するように構成された排水口とを有するハウジングと、ハウジングに結合され流体ボウルの表面外形の一部を形成するカバーであって、カバーは、密閉用流体貯留槽と、尿を流体ボウルから密閉用流体貯留槽に導くための複数の流体流路とを含み、密閉用流体貯留槽はハウジングの内部空隙部と連通する、カバーとを含む、無水小便器カートリッジとを含む、ビークル用無水小便器であって、汚物貯留槽は、ビークルのダイナミクスの変化に応答して尿の移動を汚物貯留槽内で抑制する少なくとも1つの流体流れ制御機構を含む、ビークル用無水小便器に関する。
【０００６】
本開示による主題の別の例は、トイレと、トイレ内に配置された無水小便器であって、ドレンを有する流体ボウルと、ドレン内に取り外し可能に配置された無水小便器カートリッジであって、ハウジング内に配置され、所定量の尿を保持するように構成された汚物貯留槽と、所定量の尿を超える尿の量は、排水口を通ってハウジングから流出するように構成された排水口とを有するハウジングと、ハウジングに結合され流体ボウルの表面外形の一部を形成するカバーであって、カバーは、密閉用流体貯留槽と、尿を流体ボウルから密閉用流体貯留槽に導くための複数の流体流路とを含み、密閉用流体貯留槽はハウジングの内部空隙部と連通する、カバーとを含む、無水小便器カートリッジとを含む、ビークル用無水小便器とを含む、ビークルであって、汚物貯留槽は、ビークルのダイナミクスの変化に応答して尿の移動を汚物貯留槽内で抑制する少なくとも1つの流体流れ制御機構を含む、ビークルに関する。
【０００７】
本開示による主題のさらに別の例は、ビークル内の小便器を使用する方法であって、方法は、所定量の尿を、小便器の流体ボウルに配置された無水小便器カートリッジの汚物貯留槽内に保持するステップであって、尿の量が所定量を超え、尿が無水小便器カートリッジを出るとき、尿が汚物貯留槽の排水口を通過する、ステップと、汚物貯留槽内の尿を無水小便器カートリッジのカバーの密閉用流体貯留槽内に配置された密閉用流体の1つまたは複数を用いて密封するステップであって、複数の流体流路がカバー内に配置され、複数の流体流路は、尿を流体ボウルから密閉用流体貯留槽へと導き、密閉用流体貯留槽は汚物貯留槽と連通している、ステップと、ビークルダイナミクスの変化に応答して、汚物貯留槽の少なくとも1つの流体流れ制御機構で、尿の移動を汚物貯留槽内で抑制するステップとを含む、方法に関する。
【０００８】
本開示の実施例を一般的に説明してきたため、ここで添付の図面を参照するが、これらは必ずしも原寸に比例して描かれておらず、いくつかの図を通して同様の参照符号は同じまたは類似の部分を示す。
【図面の簡単な説明】
【０００９】
【図１Ａ】本開示の態様によるビークルの上面斜視図である。
【図１Ｂ】本開示の態様による図1のビークルの無水小便器の概略図である。
【図２Ａ】本開示の態様による図1Bの無水小便器の一部の正面断面図である。
【図２Ｂ】本開示の態様による図2Aの無水小便器の一部の側面断面図である。
【図２Ｃ】本開示の態様による図2Aの無水小便器の一部の上面斜視図である。
【図２Ｄ】本開示の態様による図2Aの無水小便器の一部の上面斜視図である。
【図２Ｅ】本開示の態様による図2Aの無水小便器の一部の正面断面図である。
【図２Ｆ】本開示の態様による図2Aの無水小便器の一部の側面断面図である。
【図２Ｇ】本開示の態様による図2A（および以下の図3B）の無水小便器の汚物貯留槽の上面斜視図である。
【図２Ｈ】本開示の態様による図2A（および以下の図3B）の無水小便器のカバーの底面斜視図である。
【図３Ａ】本開示の態様による、図1Bの無水小便器の一部の正面断面図である。
【図３Ｂ】本開示の態様による図3Aの無水小便器の一部の上面断面図である。
【図３Ｃ】本開示の態様による図3Aの無水小便器の一部の側面図である。
【図３Ｄ】本開示の態様による図3Aの無水小便器の一部の正面断面図である。
【図４】本開示の態様による方法の流れ図である。
【発明を実施するための形態】
【００１０】
図1Aおよび図1Bを参照すると、少なくとも1つのトイレ110、111を含むビークル100が示される。少なくとも1つのトイレ110、111のうちの1つまたは複数は、本明細書で少なくともシンク113および便器114（例えばトイレ110を参照）を含む「完全なトイレ」と呼ぶものであってもよい。本開示の態様によれば、少なくとも1つのトイレ110、111のうちの1つまたは複数は、本明細書でより詳細に説明するように、無水小便器155を含む。無水小便器155は、便器114と共に完全なトイレ（例えば、トイレ110など）に含まれてもよいが、他の態様では、無水小便器155は、シンク113および無水小便器155のみを含む「簡易トイレ」（例えばトイレ111）として本明細書で言及されるものに含めることができる（例えば、簡易トイレには便器はない）。ビークル100は、本明細書では、航空宇宙ビークル（例えば、民間航空機などの航空機）として記載されているが、他の態様では、ビークル100は、任意の適切な航空宇宙、海上、自動車および／またはビークルダイナミクス（例えばX、Y、Z軸の1つまたは複数におけるロールR、ピッチP、ヨーYW、迎え角αおよび／または加速度、言い換えればビークル100の6自由度のうちの任意の1つまたは複数の加速度）の変化を体験する他の輸送であってもよい。
【００１１】
一般に、ビークル100は、給水タンク115および汚物タンク120が配置されたフレーム100Fを含む。給水タンク115は、例えばビークル給水配管115Pを介するなど、任意の適切な方法でシンク113および便器114に結合される。給水タンク115は、シンク113に清浄な飲料水を供給し、便器114を流すために便器114に清浄な飲料水を供給する。シンク113、便器114、および無水小便器155は、汚物タンク配管120Pなどの任意の適切な方法で、汚物タンク120に結合される。ビークル100が少なくとも1つのトイレ110、111に便器114のみを含む場合、少なくとも1つのトイレ110、111の水使用に関して以下の非限定的な例が提供される。非限定的な例として、ビークル100に乗っている約350人の乗客での約10時間の飛行にわたって、乗客1人当たり約0．3回の便器洗浄がある場合があり、1時間当たり約105回の洗浄になる。このように、約10時間の飛行では、各便器洗浄が一回の便器洗浄当たり約6．8オンスの水を使用する約1050回の便器洗浄が行われる。この例では、約7140オンスまたは約446ポンドの水が便器を流すために使用される。本開示の無水小便器155は、無水小便器155によって集められた尿の処理のために水は必要とされないため、ビークル100の乗客が使用する水の量を低減することができる。この減少した水の使用はまた、給水タンク115内のビークル100（および汚物タンク120内のビークル100によって運ばれる排水）によって運ばれる清浄または飲料水の量を減らし、ビークル重量を減少させる可能性がある。減少したビークル重量は、ビークルの貨物容量および／または積載容量を増加させるか、または貨物／積載容量を増加しない場合、追加の水を運ぶ同じビークルと比較して燃費効率を増加させる。
【００１２】
さらに、トイレ111などの簡易トイレは、トイレ110などの完全なトイレよりも小さい設置面積（例えば、より少ない客室スペースを使用する）を有する。無水小便器155によって可能になるトイレ111のより小さい設置面積によって、乗客の座席用の客室スペースが増大し、一回の飛行でより多くの乗客を運ぶことができるため、ビークル100の効率を高めることができる。トイレ111のより小さな設置面積によってさらに、ビークル調理室用の客室スペースも増える。ビークル調理室へのスペースを増加により、ビークル100に搭載されるフードサービス機能を増大させることができる。
【００１３】
本開示の態様により、尿意のみの乗客が便器114を使用するのではなくトイレ111内の無水小便器155を使用することができるため、トイレ110（またはそのように提供される場合、トイレ110内）の衛生状態を向上させることができる。これにより提供される無水小便器155およびトイレ111（例えば、簡易トイレ）は、ビークル内の従来の完全なトイレ（小便器の有無に関わらず）に対して、以下の利点を提供でき、従来の便器110および従来の小便器（流すために水を必要とする）と比較して、簡単な保守および操作を可能にし、従来の便器110および従来の小便器（流すために水を必要とする）と比較すると、配管の量が減少するため、ビークル100の製造中の簡単な設置を可能にし、配管量の減少はさらに、ビークル100の重量も低減し、無水小便器155を含む簡易トイレは、完全なトイレよりも安価であり得る。
【００１４】
図1B、図2A、図2Gおよび図3Aを参照すると、無水小便器システム150は、流体ボウル151および無水小便器カートリッジ152を含む無水小便器155を含む。流体ボウル151は、ドレン153を有する。流体ボウル151の流体保持容積FHV1が無水小便器カートリッジ152の流体保持容積FHV2を超える場合に、流体ボウル151は無水小便器カートリッジの流体内容物を収容するように構成される。無水小便器カートリッジ152内の流体が流体ボウル151内に排出される場合、流体保持容積FHV1は、無水小便器カートリッジ152からの流体の全てを実質的に収容するのに十分な大きさであり得る。流体ボウル151は、流体ボウル151の中心151Cに向かって延伸する内側に延伸する流体保持リップ151RLを含む。流体保持リップ151RLは、流体ボウル内ではねたり移動したりする流体を流体保持リップ151RLによって収容するように構成される。例えば、流体ボウル151の表面外形SCに沿って流れる流体は、流体ボウルを出るのではなく、流体保持リップ151RLに接合し、流体保持リップ151RLによって収容される。流体保持リップ151RLは、流体が流体保持リップ151RLに接合すると、流体が流体保持リップ151RLによって、流体ボウル151に戻るように方向を変えられるように、反曲形状または凹形状（例えば、図1Bに示すように流体ボウル151に湾曲する形状）を有してもよい。流体ボウル151の流体保持リップ151RLおよび流体保持容積FHV1は、単独でまたは無水小便器カートリッジ152と組み合わせて、最大約＋2G（またはそれ以上）から約−0．5G（またはそれ以上）（X−Y平面における直線および水平飛行から）、最大約45度のロール（X軸線の周り）、および／または最大約0．5G（またはそれ以上）に遭遇する場合がある乱流状態の間のビークル100の操縦の間に、無水小便器システム150からの無水小便器カートリッジ152の内容物の流出または飛散を防止してもよい。
【００１５】
無水小便器カートリッジ152は、ドレン153内に取り外し可能に配置される。無水小便器カートリッジ152は、ハウジング152Hおよびカバー210を含む。ハウジングは、ハウジング152H内に配置された汚物貯留槽200、300を有する。汚物貯留槽200、300は、所定量の尿Vを保持するように構成される。汚物貯留槽200、300はまた、所定量の尿Vを超える尿VAの量が、排水口201を通ってハウジング152Hから流出するように構成された排水口201を含む。一態様では、汚物貯留槽200、300はハウジング152Hと一体化されて形成され、他の態様では、汚物貯留槽200、300は任意の適切な方法でハウジング152Hに結合される。汚物貯留槽200、300は、（図2Gに示すように）任意の適切な距離Hによって、内周縁部200E2の上に延伸する（図2Gに示すように）外周縁部200E1を有するセミトロイダル形状299（図2Gに示すように）を含む。図2A、図2B、図2C、図2D、図2Eおよび図2Fを参照すると、汚物貯留槽200の外周縁部200E1が内周縁部200E2の上にあってもよいが、尿は、外周縁部200E1および内周縁部200E2の1つまたは複数を超えて汚物貯留槽200を出てもよく、ハウジング152Hが尿をドレン153に導く。
【００１６】
汚物貯留槽200、300は、ビークル100のダイナミクスの変化に応答して、尿の移動を汚物貯留槽200、300内で抑制する少なくとも1つの流体流れ制御機構260（図2C、図2D、図3B、図3Cに示すように）を含む（例えばX、Y、Z軸の1つまたは複数におけるロールR、ピッチP、ヨーYW、迎え角αおよび／または加速度、言い換えればビークル100の6自由度のうちの任意の1つまたは複数の加速度）。図2Aから図2Fを参照すると、一態様では、少なくとも1つの流体流れ制御機構260は、汚物貯留槽200をハウジング152Hに結合する任意の適切な数のジンバル軸を有するジンバルカップリング260Gを含む。一態様では、ジンバルカップリング260Gは、少なくとも1つの自由度回転を含み、少なくとも1つの自由度回転は、ビークル加速度、迎え角α、ビークルロールR、ビークルピッチPおよびビークルヨーYWの1つまたは複数に対応する（図1Aに示すように）。一態様では、ジンバルカップリング260Gは、少なくとも2つの自由度回転を含み、少なくとも2つの自由度回転は、ビークル加速度、迎え角α、ビークルロールR、ビークルピッチPおよびビークルヨーYWの少なくとも2つに対応する（図1Aに示すように）。さらに別の態様では、ジンバルカップリング260Gは、3つの自由度回転を含み、3つの自由度回転は、ビークル加速度、迎え角α、ビークルロールR、ビークルピッチPおよびビークルヨーYWに対応する（図1Aに示すように）。例えば、図2Cは、2つの回転軸PA1、PA2（図1Aに示すX、Y、Z、座標システムを使用し、XおよびY軸線に対応してもよい）の周りの汚物貯留槽200の回転を提供する2軸ジンバルカップリング260G2を示す。ここで、2軸ジンバルカップリング260G2は、ビークル100とロールR、ピッチPおよび／または迎え角αでの汚物貯留槽200との間の相対回転を提供してもよい。2軸ジンバルカップリング260G2は、第1のジンバルフレーム280と第2のジンバルフレーム281とを含む。第1のジンバルフレーム280は、第1のジンバルフレーム280が汚物貯留槽200に少なくとも部分的に外接するように、任意の適切な形状を有することができる。第1のジンバルフレーム280は、軸PA1に沿って延び、（図2Bに示すように）ハウジング152Hのそれぞれの対応するピボットカップリング152CA、152CBに枢動可能に結合するように構成されたピボットカップリング280CA、280CBを含む。一態様では、汚物貯留槽200は、第2のジンバルフレーム281が汚物貯留槽200によって形成されてもよいように、ジンバルカップリング260G2の一部を形成する。ここで、汚物貯留槽200は、軸PA2に沿って延び、（図2Cに示すように）第1のジンバルフレーム281のそれぞれの対応するピボットカップリング280CC、280CDと枢動可能に結合するように構成されたピボットカップリング281CA、281CBを含む。
【００１７】
別の例として、図2Dは、3つの回転軸PA1、PA2およびPA3（図1Aに示すX、Y、Z、座標システムを使用し、X、YおよびZ軸線に対応してもよい）の周りの汚物貯留槽200の回転を提供する3軸ジンバルカップリング260G3を示す。ここで、3軸ジンバルカップリング260G3は、ビークル100とロールR、ピッチP、迎え角α、および／またはヨーYWでの汚物貯留槽200との間の相対回転を提供してもよい。3軸ジンバルカップリング260G3は、第1のジンバルフレーム280と第2のジンバルフレーム281とを含む。第1のジンバルフレーム280は、第1のジンバルフレーム280が汚物貯留槽200に少なくとも部分的に外接するように、任意の適切な形状を有することができる。第1のジンバルフレーム280は、軸PA1に沿って延び、（図2Bに示すように）ハウジング152Hのそれぞれの対応するピボットカップリング152CA、152CBに枢動可能に結合するように構成されたピボットカップリング280CA、280CBを含む。この態様では、第2のジンバルフレーム281が汚物貯留槽200に少なくとも部分的に外接するために、第2のジンバルフレーム281は任意の適切な形状を有し、第2のジンバルフレーム281は、軸PA2に沿って延び、（図2Dに示すように）第1のジンバルフレーム280のそれぞれの対応するピボットカップリング280CC、280CDと枢動可能に結合するように構成されたピボットカップリング281CA、281CBを含む。この態様では、汚物貯留槽200が回転軸PA3を中心に揺動するために、汚物貯留槽200は、軸受リングなどの任意の適切なピボットカップリング282によって第2のジンバルフレーム281に結合される。
【００１８】
汚物貯留槽200の重心CGが、複数の流体流路152Aよりもジンバルカップリング260Gの1つまたは複数の回転軸PA1、PA2の反対側にあるように、汚物貯留槽200をジンバルカップリング260Gに結合してもよい。複数の流体流路152Aよりもジンバルカップリング260Gの1つまたは複数の回転軸PA1、PA2の反対側に汚物貯留槽200の重心CGを有することは、汚物貯留槽200を実質的に水平の向きに保ち（例えば、水平の意味で、図1Aに示すX、Y、Z座標システムの文脈内で、X−Y平面内に置かれている）、尿VAの量が汚物貯留槽200から出る開口部200Xが実質的に上向きの方向に留まる（例えば、先端部が汚物貯留槽200から尿を放出させないように）。
【００１９】
図2G、図3A、図3Bおよび図3Cを参照すると、少なくとも1つの流体流れ制御機構260は、汚物貯留槽200、300内に配置された少なくとも1つのバッフル261を含む。図3Bには約8つのバッフル261が示されているが、約8つよりも多いまたは少ないなどのバッフル261などの任意の適切な数のバッフル261が設けられてもよいことを理解されたい。例えば、少なくとも1つのバッフル261は、ジンバルカップリング260Gと組み合わせて（汚物貯留槽200内の少なくとも1つのバッフル261を示す図2G参照）またはジンバルカップリング260Gの代わりに使用することができる。例えば、一態様では、汚物貯留槽300は、汚物貯留槽200と実質的に同様であるが、ここでは汚物貯留槽300はハウジング152Hを形成する。この態様では、汚物貯留槽300は、汚物貯留槽300とビークル100との間に相対回転がないように、ドレン153内に配置される。少なくとも1つのバッフル261は、汚物貯留槽200、300内の尿の移動（例えば、スロッシング）を実質的に緩和するために、任意の適切な形状およびサイズを有することができる。例えば、少なくとも1つのバッフル261は、フレーム261Fを含む。フレーム261Fは、汚物貯留槽200の外形200Cと実質的に一致する外形261Cを有する周縁部261PEを形成する。フレーム261Fはまた、汚物貯留槽200内の尿の移動をせき止めるために、共に汚物貯留槽200、300内の尿と連携する第1の側面261S1、第2の側面261S2および底面261SSを含む。一態様では、第1の側面261S1、第2の側面261S2および底面261SSは、メッシュ材料、固体材料、または汚物貯留槽200、300内の尿の移動を遅くするおよび／または制限する任意の他の適切な材料で構成される。第1の側面261S1、第2の側面261S2および底面261SSは、密閉用流体貯留槽211がチャネル261CH内に配置されるように構成されたチャネル261CHを形成する（図3Aに示すように）。チャネル261CHはまた、ジンバルカップリング260Gによって汚物貯留槽200がハウジング152Hに結合される場合のように、密閉用流体貯留槽211と少なくとも1つのバッフル261との間の相対的移動を可能にする形状およびサイズであってもよい。
【００２０】
一態様では、汚物貯留槽200、300、密閉用流体貯留槽211および少なくとも1つのバッフル261のうちの1つまたは複数は、任意の適切な面取り部399を含むことができる。面取り部399は、可動部分のための隙間を提供し、無水小便器カートリッジ152の組立を容易にし（面取り部を欠く実質的に同様の無水小便器カートリッジと比較して）、および／または汚物貯留槽200、300からドレン153への尿の層流を提供してもよい。
【００２１】
図1B、図2A、図2Hおよび図3Aを参照すると、無水小便器カートリッジ152はまた、任意の適切な方法（例えば、溶接、化学的締め具、機械的締め具（ねじ接続を含む）等）でハウジング152Hに結合されたカバー210を含み、カバー210は、流体ボウル151の表面外形SCの一部を形成する。図3Aから図3Dに示す本開示の態様では、上述したように、汚物貯留槽300がハウジング152Hを形成するため、カバーは汚物貯留槽300に直接結合される。カバー210は、密閉用流体貯留槽211と、尿を流体ボウル151から密閉用流体貯留槽211へ導くための複数の流体流路152Aとを含む。密閉用流体貯留槽211は、ハウジング152Hの内部空隙部220と連通している。例えば、密閉用流体貯留槽211の内部容積の少なくとも一部が、汚物貯留槽200、300の内部容積の少なくとも一部と共有されるように、密閉用流体貯留槽211の少なくとも一部が、汚物貯留槽200、300（図2Aおよび図3A参照）内に配置され、流体流路ラビリンスLB（図2Bおよび図3A参照）を形成するように、密閉用流体貯留槽211は、円筒形などの任意の適切な形状を有してもよい。例えば、密閉用流体貯留槽211は、任意の適切な距離HLだけ汚物貯留槽200、300の開口部200X内に延伸する壁211W1、211W2を含み、流体流路ラビリンスLB（図2Bおよび図3A参照）を形成し、密閉用流体SFは、ビークルダイナミクスの高角度変化の間、密閉用流体貯留槽211から実質的に漏れない。例えば、航行中のビークル100は、ビークルの航行中に航空機100の少なくともX軸線およびY軸線（図1Aに示す）に対して約2度〜約4度の角度変化を有することができる。しかしながら、傾斜する場合、約20度〜約25度のビークルダイナミクスにおける高い角度変化がある場合がある（他の態様では、バンク角は約25度以上または約20度未満であり得る）。密閉用流体貯留槽211に収容されているか、または保持されている密閉用流体SFは、尿の上に浮くように水より密度が低く、密閉用流体貯留槽211によって形成された逆カップ211C（図2Aおよび図3A参照）と呼ばれてもよい中に、汚物貯留槽200、300に収容される（例えば、逆カップ211Cと組み合わせて、尿の密度と比較して密閉用流体SFの密度が低いことによって、密閉用流体SFを密閉用流体貯留槽211内に保持する）。
【００２２】
複数の流体流路152Aの各々は、汚物貯留槽200、300から流体ボウル151への流体流路（例えば、尿および／または密閉用流体）の排出を実質的に防止する形状およびサイズを有する。例えば、複数の流体流路152Aのそれぞれの形状およびサイズは、複数の流体流路152Aが、例えば、ビークル100に負G力が作用する間、流体が密閉用流体貯留槽211および／または汚物貯留槽200、300から飛散するのを実質的に防止するためのバッフルを形成するようである。一態様では、複数の流体流路152Aの各々は約0．094インチの直径を有するが、他の態様では、複数の流体流路152Aは、約0．094インチよりも大きいまたは小さい任意の適切な直径を有することができる。さらに別の態様では、複数の流体流路152Aのうちの1つまたは複数は、複数の流体流路152Aのうちの別の1つの直径よりも大きいまたは小さい直径を有することができる（例えば、流体流路152Aの直径は、1つの流体流路152Aから別の流体流路152Aに変化してもよい）。複数の流体流路152Aは、固体材料の汚物貯留槽200への通過を実質的に防止するフィルタを形成する。
【００２３】
再び図1Aおよび図1Bを参照すると、無水小便器155は、ドレン153およびビークル汚物タンク120に連結された自動フラッシュバルブ170をさらに含み、汚物貯留槽200、300からの尿は（例えば、図2Aおよび3A参照）、自動フラッシュバルブ170内に集められる。収集された尿CUは、所定レベルの尿が自動フラッシュバルブ170内に存在すると、自動フラッシュバルブ170から汚物タンク120に流される。例えば、自動フラッシュバルブ170は、自動フラッシュバルブ170内の所定のレベルの収集された尿CUを検知するために、光学センサ、重量計、導電センサなどの任意の適切なセンサ170Sを含むことができる。センサ170Sは、任意の適切なデジタルまたはアナログコントローラであってもよい任意の適切なコントローラ199に結合することができる。コントローラ199は、自動フラッシュバルブ170内の所定のレベルの収集された尿CUの検出／検知時に自動フラッシュバルブ170を作動させ、収集された尿CUを汚物タンク120に流すように構成される。
【００２４】
自動フラッシュバルブ170を流す際、置換空気RA（流体の排出時に自動フラッシュバルブを満たす）が自動フラッシュバルブ170中に引き込まれる。自動フラッシュバルブ170によって引き起こされる吸引が、汚物貯留槽200、300および／または密閉用流体貯留槽211から尿および／または密閉用流体SFを除去する可能性があるため、ドレン153を通して置換空気RAを供給することは望ましくないことがある。ドレン153内（したがって、汚物貯留槽200、300および／または密閉用流体貯留槽211内）の真空の形成を回避するかまたは少なくとも軽減するために、ベントライン180が設けられ、ドレン153および自動フラッシュバルブ170の両方に結合される。ベントライン180は、自動フラッシュバルブ170が流されると、ビークル100の客室に対する、ベントライン180に吸入される置換空気RAの音を消音する吸気消音器180Sまたは他の適切なマフラーを含む。ドレン153と自動フラッシュバルブ170との間に、流体流れ遮断バルブ180Vが配置される。流体流れ遮断バルブ180Vは、自動フラッシュバルブ170から尿が流される場合、自動フラッシュバルブ170が流されると、ドレン153を通る空気の流れを遮断するために（例えば、置換空気がドレン153を通って吸入されないようにするために）、ドレン153を密閉するように構成される。一態様では、流体流れ遮断バルブ180Vは、自動フラッシュバルブ170が流されるとき、生成される空気吸引によって作動される受動バルブであってもよく、他の態様では、流体流れ遮断バルブ180Vは、自動フラッシュバルブ170が流されるとき、コントローラ199によって作動されるモーター駆動式バルブであってもよい。
【００２５】
さらに図1Aおよび図1Bを参照すると、無水小便器システム150は、臭気および殺菌の緩和をさらに含む。例えば、一方向バルブ154または任意の他の適切なチェックバルブをドレン153内に配置することができる。一方向バルブ154は、尿が一方向バルブ154を通って自動フラッシュバルブ170に向かって流れてもよいように構成されるが、臭気は、一方向バルブ154によって、自動フラッシュバルブ170から無水小便器カートリッジ152に通ることを防止される。臭気はまた、密閉用流体貯留槽211内に配置され、汚物貯留槽200、300内の尿の上に浮遊する密閉用流体SFによって、無水小便器カートリッジ152の流体流路152Aを通って漏れることを防止されてもよい（例えば、図2Aおよび図3A参照）。
【００２６】
無水小便器システム150はまた、流体ボウル151に結合された衛生モジュール160を含むことができる。衛生モジュール160は、脱臭剤161DAおよび消毒剤161DBディスペンサ161のうちの少なくとも1つを含む。脱臭剤161DAおよび消毒剤161DBは、互いに分離されているか、または単一の混合物にまとめられている任意の適切な脱臭剤および消毒剤であってもよい。ディスペンサ161は、脱臭剤161DAおよび消毒剤161DBの少なくとも1つを流体ボウル151の少なくとも一部に、霧状の水を吹きかけるかまたはスプレーする任意の適切なスプレーノズル161Sを含み、流体ボウル151を濡らす尿からの任意の臭気をマスク／緩和するために、および／または流体ボウル151の少なくとも一部の表面外形SCを消毒する。衛生モジュール160はまた、紫外線殺菌照射ユニット162を含むことができる。紫外線殺菌照射ユニット162は、紫外線照射を流体ボウル151の少なくとも一部および／または流体保持リップ151RLの少なくとも一部の周囲に導くように、流体ボウル151に任意の適切な方法で結合され、流体ボウル151および／または流体保持リップ151RLを消毒してもよい。脱臭剤161DAおよび消毒剤161DBディスペンサ161ならびに紫外線殺菌照射ユニット162の少なくとも1つは、流体ボウル151の消毒および／または脱臭のために、別々にまたは組み合わせて使用することができる。衛生モジュール160は、無水小便器155の流体ボウル151の前に立っている、または立っていたユーザ169の存在および不在のうちの1つまたは複数を検知する存在検出器165を含むことができる。存在検出器165は、任意の適切なコントローラ199Aに結合され、ユーザ169の存在および不在のうちの1つまたは複数を検出すると、衛生モジュール160によって流体ボウル151の衛生を生じさせる。コントローラ199Aは独立のコントローラであってもよいし、コントローラ199Aはコントローラ199の一部であってもよい。一例として、存在検出器165によるユーザ169の存在および不在の1つまたは複数の検知に応答して、コントローラ199Aは、ディスペンサ161を作動させて、スプレーノズル161Sによって脱臭剤161DAおよび消毒剤161DBのうちの少なくとも1つを投与してもよい。コントローラ199Aはまた、存在検出器165によるユーザ169の存在および不在の1つまたは複数の検知に応答して、紫外線殺菌照射ユニット162を作動させ、紫外線照射を流体ボウル151の表面外形表面SCおよび／または流体保持リップ151RLに投射してもよい。
【００２７】
ここで図1A、図1B、図2E、図2Fおよび図3Dを参照して、ビークル100内の無水小便器155を使用するための例示的な方法400を説明する。無水小便器カートリッジ152は、無水小便器155の流体ボウル151にインサートすることができる（図4、ブロック415）。方法400は、無水小便器155の流体ボウル151内に配置された無水小便器カートリッジ152の汚物貯留槽200、300内に所定量の尿V（図4、ブロック401）を保持するステップを含む。上述したように、尿の量が所定量の尿Vを超えると、尿は汚物貯留槽200、300の排水口201を通過し、尿は無水小便器カートリッジ152を出る。方法400はまた、汚物貯留槽200、300（図4、ブロック405）内の尿を無水小便器カートリッジ152のカバー210の密閉用流体貯留槽211内に配置された密閉用流体SFの1つまたは複数を用いて密封するステップを含み、複数の流体流路152Aがカバー210内に配置され、複数の流体流路152Aは、尿を流体ボウル151から密閉用流体貯留槽211へと導き、密閉用流体貯留槽211は汚物貯留槽200、300と連通している。尿の移動は、ビークル100のダイナミクスの変化に応答して、汚物貯留槽200、300の少なくとも1つの流体流れ制御機構260によって、汚物貯留槽200、300（図4、ブロック410）内で抑制される。
【００２８】
一態様では、尿の移動は、汚物貯留槽200を無水小便器カートリッジ152のハウジング152Hに結合するジンバルカップリング260Gを使用して、ビークル100のダイナミクスの変化（図4、ブロック420）に応答して、例えばビークル100に対して、汚物貯留槽200を移動させることによって抑制される。ジンバルカップリング260Gを使用するビークル100に対する汚物貯留槽200の移動が図2Eおよび図2Fに示されており、汚物貯留槽200の移動の正面および側面断面図をそれぞれ示している。ここで、ジンバルカップリング260Gは、汚物貯留槽200とカバー210との間の干渉によってのみ制限される任意の適切な角度θを介して、枢動点PPの周りで汚物貯留槽200を回転させる。上述したように、カバー210および汚物貯留槽200は、汚物貯留槽200の回転角度θを増加させるために、カバー210と汚物貯留槽200との間のクリアランスを増加させるための任意の適切な面取り部399を含むことができる。上述したように、一態様では、汚物貯留槽200は、ビークル加速度、迎え角α、ビークルロールR、ビークルピッチPおよびビークルヨーYWの1つまたは複数に対応する少なくとも1つの自由度回転で移動する。一態様では、汚物貯留槽200は、ビークル加速度、迎え角α、ビークルロールR、ビークルピッチPおよびビークルヨーYWの少なくとも2つに対応する少なくとも2つの自由度回転で移動する。一態様では、汚物貯留槽200は、ビークル加速度、迎え角α、ビークルロールR、ビークルピッチPおよびビークルヨーYWに対応する3自由度回転で移動する。ビークル100のダイナミクスに応答して、汚物貯留槽200を移動させるステップに加えて、または代えて、尿の移動は汚物貯留槽内に配置された少なくとも1つのバッフルを用いて、汚物貯留槽200（図4、ブロック425）内にせき止められてもよい。汚物貯留槽300内のせき止められた尿の例示的な図が、ビークル100のダイナミクスがロールRで変化した図3Dに示される。ここで、尿のスロッシングは、バッフル261によって少なくとも低減され、尿は実質的に汚物貯留槽300内で飛散しない。
【００２９】
方法400はまた、流体ボウル151のドレン153に結合された一方向バルブ154を用いて、流体流れが流体ボウル151（図4、ブロック430）に戻ることを防止するステップを含むことができる。方法400はまた、流体ボウル151に結合された衛生モジュール160を用いて、流体ボウル151（図4、ブロック435）を消毒するステップを含むことができる。上述したように、消毒ステップは、脱臭剤161DAおよび消毒剤161DBディスペンサ161の少なくとも1つを用いて、流体ボウル151の少なくとも一部を衛生化することを含む。消毒ステップはまた、紫外線殺菌照射ユニット162を用いる少なくとも流体ボウル151の衛生化を含むことができる。流体ボウル151を消毒するステップは、無水小便器155の存在検出器165を用いて、ユーザ169の存在および不在のうちの1つまたは複数を検知するステップと、ユーザ169の存在および不在の1つまたは複数の検出時に流体ボウル151を消毒するステップとを含んでもよい。方法400は、流体ボウル151の流体保持容積が無水小便器カートリッジ152の流体保持容積を超える場合に、流体ボウル151（図4、ブロック440）を用いて無水小便器カートリッジ152の流体内容物を収容するステップを含むことができる。方法400はまた、流体ボウル151のドレン153およびビークル汚物タンク120に結合された自動フラッシュバルブ170（図4、ブロック445）内の汚物貯留槽200、300から尿を収集するステップを含むことができる。自動フラッシュバルブ170を用いて尿を収集するステップは、自動フラッシュバルブ170内に所定レベルの尿が存在するとき、収集された尿CUをビークル汚物タンク120に流すステップを含む。自動フラッシュバルブ170によって尿を収集するステップはまた、収集された尿CUを自動フラッシュバルブ170によって流すとき、吸気消音器180Sを含むベントライン180を通して自動フラッシュバルブ170に空気を受け取るステップを含むことができる。自動フラッシュバルブ170を用いて尿を収集するステップは、収集した尿CUを自動フラッシュバルブ170から流すとき、ドレン153と自動フラッシュバルブ170との間に配置された流体流れ遮断バルブ180Vを用いて、流体ボウル151のドレン153を密封するステップをさらに含んでもよい。
【００３０】
上述したように、無水小便器155は、ユーザの排尿を水で流さず、動的環境（例えば、非固定または非静的環境）で機能する（例えば、実質的に流体ボウル151および／または無水小便器カートリッジ152からの漏れおよび／または飛散がない）。無水小便器カートリッジ152および／または流体ボウル151は、無水小便器カートリッジ152が傾斜しているおよび／または押されているとき（例えば航空機の場合の飛行乱気流、または陸上／海上ビークルの場合の地形／水の荒れの間など）、尿を無水小便器カートリッジ152および／または流体ボウル151内に尿を密封／収容する効果を損なわない場合がある。無水小便器155はまた、乱気流などの負Gの事象中に尿が漏れるのを防ぐことができる。
【００３１】
以下は、本開示の態様に従って提供される。
【００３２】
A1．ビークル用無水小便器であって、前記無水小便器は、
ドレンを有する流体ボウルと、
前記ドレン内に取り外し可能に配置された無水小便器カートリッジであって、前記無水小便器カートリッジは、
ハウジング内に配置され、所定量の尿を保持するように構成された汚物貯留槽と、前記所定量の尿を超える尿の量は、排水口を通って前記ハウジングから流出するように構成された前記排水口とを有する前記ハウジングと、
前記ハウジングに結合され前記流体ボウルの表面外形の一部を形成するカバーであって、前記カバーは、密閉用流体貯留槽と、尿を前記流体ボウルから前記密閉用流体貯留槽に導くための複数の流体流路とを含み、前記密閉用流体貯留槽は前記ハウジングの内部空隙部と連通する、カバーと
を含む、無水小便器カートリッジと
を含み、
前記汚物貯留槽は、ビークルのダイナミクスの変化に応答して尿の移動を前記汚物貯留槽内で抑制する少なくとも1つの流体流れ制御機構を含む、
無水小便器。
【００３３】
A2．前記ビークルダイナミクスは、ビークル加速度、迎え角、ビークルロール、ビークルピッチ、およびビークルヨーのうちの1つまたは複数を含む項A1に記載の無水小便器。
【００３４】
A3．前記少なくとも1つの流体流れ制御機構は、前記汚物貯留槽を前記ハウジングに結合するジンバルカップリングを含む、項A1に記載の無水小便器。
【００３５】
A4．前記汚物貯留槽の重心が、前記複数の流体流路よりも前記ジンバルカップリングの1つまたは複数の回転軸の反対側にある、項A3に記載の無水小便器。
【００３６】
A5．前記ジンバルカップリングは、少なくとも1つの自由度回転を含み、前記少なくとも1つの自由度回転は、ビークル加速度、迎え角、ビークルロール、ビークルピッチおよびビークルヨーの1つまたは複数に対応する、項A3に記載の無水小便器。
【００３７】
A6．前記ジンバルカップリングは、少なくとも2つの自由度回転を含み、前記少なくとも2つの自由度回転は、ビークル加速度、迎え角、ビークルロール、ビークルピッチおよびビークルヨーの少なくとも2つに対応する、項A3に記載の無水小便器。
【００３８】
A7．前記ジンバルカップリングは、3つの自由度回転を含み、前記3つの自由度回転は、ビークル加速度、迎え角、ビークルロール、ビークルピッチおよびビークルヨーに対応する、項A3に記載の無水小便器。
【００３９】
A8．前記汚物貯留槽が前記ジンバルカップリングの一部を形成する、項A3に記載の無水小便器。
【００４０】
A9．前記少なくとも1つの流体流れ制御機構は、前記汚物貯留槽内に配置された少なくとも1つのバッフルを含む、項A3に記載の無水小便器。
【００４１】
A10．前記少なくとも1つの流体流れ制御機構は、前記汚物貯留槽内に配置された少なくとも1つのバッフルを含む、項A1に記載の無水小便器。
【００４２】
A11．前記汚物貯留槽が、内周縁部の上方に延伸する外周縁部を有するセミトロイダル形状を含む、項A1に記載の無水小便器。
【００４３】
A12．複数の流体流路の各々が、汚物貯留槽から流体ボウルへの流体流路の排出を実質的に防止する形状およびサイズを有する、項A1に記載の無水小便器。
【００４４】
A13．前記複数の流体流路の各々が約0．094インチの直径を有する、項A12に記載の無水小便器。
【００４５】
A14．前記複数の流体流路は、固体材料の前記汚物貯留槽への通過を実質的に防止するフィルタを形成する、項A1に記載の無水小便器。
【００４６】
A15．前記流体ボウルのドレンに結合された一方向バルブをさらに含む、項A1に記載の無水小便器。
【００４７】
A16．前記流体ボウルに結合された衛生モジュールをさらに含む、項A1に記載の無水小便器。
【００４８】
A17．前記衛生モジュールは、脱臭剤および消毒剤ディスペンサのうちの少なくとも1つを含む、項A16に記載の無水小便器。
【００４９】
A18．前記衛生モジュールが紫外線殺菌照射ユニットを含む、項A16に記載の無水小便器。
【００５０】
A19．前記衛生モジュールが、ユーザの存在および不在のうちの1つまたは複数を検知する存在検出器を含み、前記存在検出器はコントローラに結合され、ユーザの存在および不在のうちの1つまたは複数を検出すると、前記衛生モジュールによって前記流体ボウルの衛生を生じさせる、項A16に記載の無水小便器。
【００５１】
A20．前記流体ボウルの流体保持容積が前記無水小便器カートリッジの流体保持容積を超える場合に、前記流体ボウルは前記無水小便器カートリッジの流体内容物を収容するように構成される、項A1に記載の無水小便器。
【００５２】
A21．前記流体ボウルは、前記流体ボウルの中心に向かって延伸する内側に延伸する流体保持リップを含む、項A1に記載の無水小便器。
【００５３】
A22．前記ドレンおよびビークル汚物タンクに結合された自動フラッシュバルブをさらに含み、前記汚物貯留槽からの尿は、前記自動フラッシュバルブ内に集められる、項A1に記載の無水小便器。
【００５４】
A23．収集された尿は、所定レベルの尿が前記自動フラッシュバルブ内に存在すると、自動フラッシュバルブから前記ビークル汚物タンクに流される、項A22に記載の無水小便器。
【００５５】
A24．吸気消音器を含むベントラインをさらに含み、前記ベントラインは、前記自動フラッシュバルブに結合される、項A22に記載の無水小便器。
【００５６】
A25．前記ドレンと前記自動フラッシュバルブとの間に配置された流体流れ遮断バルブをさらに含み、前記流体流れ遮断バルブは、前記自動フラッシュバルブから尿が流されると、前記ドレンを密封するように構成される、項A24に記載の無水小便器。
【００５７】
B1．トイレと、
前記トイレ内に配置された無水小便器であって、前記無水小便器は、
ドレンを有する流体ボウルと、
前記ドレン内に取り外し可能に配置された無水小便器カートリッジであって、前記無水小便器カートリッジは、
ハウジング内に配置され、所定量の尿を保持するように構成された汚物貯留槽と、前記所定量の尿を超える尿の量は、排水口を通って前記ハウジングから流出するように構成された前記排水口とを有する前記ハウジングと、
前記ハウジングに結合され前記流体ボウルの表面外形の一部を形成するカバーであって、前記カバーは、密閉用流体貯留槽と、尿を前記流体ボウルから前記密閉用流体貯留槽に導くための複数の流体流路とを含み、前記密閉用流体貯留槽は前記ハウジングの内部空隙部と連通する、カバーと
を含む、無水小便器カートリッジと
を含む、無水小便器と
を含むビークルであって、
前記汚物貯留槽は、ビークルのダイナミクスの変化に応答して尿の移動を汚物貯留槽内で抑制する少なくとも1つの流体流れ制御機構を含む、
ビークル。
【００５８】
B2．前記ビークルダイナミクスが、ビークルロール、ビークルピッチ、およびビークルヨーのうちの1つまたは複数を含む、項B1に記載のビークル。
【００５９】
B3．前記少なくとも1つの流体流れ制御機構は、前記汚物貯留槽を前記ハウジングに結合するジンバルカップリングを含む、項B1に記載のビークル。
【００６０】
B4．前記汚物貯留槽の重心が、前記複数の流体流路よりも前記ジンバルカップリングの1つまたは複数の回転軸の反対側にある、項B3に記載のビークル。
【００６１】
B5．前記ジンバルカップリングは、少なくとも1つの自由度回転を含み、前記少なくとも1つの自由度回転は、ビークル加速度、迎え角、ビークルロール、ビークルピッチおよびビークルヨーの1つまたは複数に対応する、項B3に記載のビークル。
【００６２】
B6．前記ジンバルカップリングは、少なくとも2つの自由度回転を含み、前記少なくとも2つの自由度回転は、ビークル加速度、迎え角、ビークルロール、ビークルピッチおよびビークルヨーの少なくとも2つに対応する、項B3に記載のビークル。
【００６３】
B7．前記ジンバルカップリングは、3つの自由度回転を含み、前記3つの自由度回転は、ビークル加速度、迎え角、ビークルロール、ビークルピッチおよびビークルヨーに対応する、項B3に記載のビークル。
【００６４】
B8．前記汚物貯留槽が前記ジンバルカップリングの一部を形成する、項B3に記載のビークル。
【００６５】
B9．前記少なくとも1つの流体流れ制御機構は、前記汚物貯留槽内に配置された少なくとも1つのバッフルを含む、項B3に記載のビークル。
【００６６】
B10．前記少なくとも1つの流体流れ制御機構は、前記汚物貯留槽内に配置された少なくとも1つのバッフルを含む、項B1に記載のビークル。
【００６７】
B11．前記汚物貯留槽が、内周縁部の上方に延伸する外周縁部を有するセミトロイダル形状を含む、項B1に記載のビークル。
【００６８】
B12．複数の流体流路の各々が、汚物貯留槽から流体ボウルへの流体流路の排出を実質的に防止する形状およびサイズを有する、項B1に記載のビークル。
【００６９】
B13．前記複数の流体流路の各々が約0．094インチの直径を有する、項B12に記載のビークル。
【００７０】
B14．前記複数の流体流路は、固体材料の前記汚物貯留槽への通過を実質的に防止するフィルタを形成する、項B1に記載のビークル。
【００７１】
B15．前記流体ボウルのドレンに結合された一方向バルブをさらに含む、項B1に記載のビークル。
【００７２】
B16．前記流体ボウルに結合された衛生モジュールをさらに含む、項B1に記載のビークル。
【００７３】
B17．前記衛生モジュールは、脱臭剤および消毒剤ディスペンサのうちの少なくとも1つを含む、項B16に記載のビークル。
【００７４】
B18．前記衛生モジュールが紫外線殺菌照射ユニットを含む、項B16に記載のビークル。
【００７５】
B19．前記衛生モジュールが、ユーザの存在および不在のうちの1つまたは複数を検知する存在検出器を含み、前記存在検出器はコントローラに結合され、ユーザの存在および不在のうちの1つまたは複数を検出すると、前記衛生モジュールによって前記流体ボウルの衛生を生じさせる、項B16に記載のビークル。
【００７６】
B20．前記流体ボウルの流体保持容積が前記無水小便器カートリッジの流体保持容積を超える場合に、前記流体ボウルは前記無水小便器カートリッジの流体内容物を収容するように構成される、項B1に記載のビークル。
【００７７】
B21．前記流体ボウルは、前記流体ボウルの中心に向かって延伸する内側に延伸する流体保持リップを含む、項B1に記載のビークル。
【００７８】
B22．前記ドレンおよびビークル汚物タンクに結合された自動フラッシュバルブをさらに含み、前記汚物貯留槽からの尿は、前記自動フラッシュバルブ内に集められる、項B1に記載のビークル。
【００７９】
B23．所定レベルの尿が前記自動フラッシュバルブ内に存在する場合、収集された尿を前記ビークル汚物タンクに流す、項B22に記載のビークル。
【００８０】
B24．吸気消音器を含むベントラインをさらに含み、前記ベントラインは、前記自動フラッシュバルブに結合される、項B22に記載のビークル。
【００８１】
B25．前記ドレンと前記自動フラッシュバルブとの間に配置された流体流れ遮断バルブをさらに含み、前記流体流れ遮断バルブは、前記自動フラッシュバルブから尿が流されると、前記ドレンを密封するように構成される、項B24に記載のビークル。
【００８２】
C1．ビークル内の無水小便器を使用する方法に関し、前記方法は、
所定量の尿を、前記無水小便器の流体ボウルに配置された無水小便器カートリッジの汚物貯留槽内に保持するステップであって、尿の量が尿の前記所定量を超え、尿が前記無水小便器カートリッジを出るとき、尿が前記汚物貯留槽の排水口を通過する、ステップと、
前記汚物貯留槽内の前記尿を前記無水小便器カートリッジの前記カバーの密閉用流体貯留槽内に配置された密閉用流体の1つまたは複数を用いて密封するステップであって、前記複数の流体流路がカバー内に配置され、複数の流体流路は、尿を前記流体ボウルから前記密閉用流体貯留槽へと導き、前記密閉用流体貯留槽は前記汚物貯留槽と連通している、ステップと、
ビークルダイナミクスの変化に応答して、前記汚物貯留槽の少なくとも1つの流体流れ制御機構で、尿の移動を前記汚物貯留槽内で抑制するステップと
を含む、方法。
【００８３】
C2．前記無水小便器の前記流体ボウルに前記無水小便器カートリッジをインサートするステップをさらに含む、項C1に記載の方法。
【００８４】
C3．前記ビークルダイナミクスが、ビークルロール、ビークルピッチ、およびビークルヨーのうちの1つまたは複数を含む、項C1に記載の方法。
【００８５】
C4．前記汚物貯留槽を前記無水小便器カートリッジのハウジングに結合するジンバルカップリングを使用して、ビークルのダイナミクスの前記変化に応答して前記汚物貯留槽を移動させるステップをさらに含む、項C1に記載の方法。
【００８６】
C5．前記汚物貯留槽は、ビークル加速度、迎え角、ビークルロール、ビークルピッチおよびビークルヨーの1つまたは複数に対応する少なくとも1つの自由度回転で移動する、項C4に記載の方法。
【００８７】
C6．前記汚物貯留槽は、ビークル加速度、迎え角、ビークルロール、ビークルピッチおよびビークルヨーの少なくとも2つに対応する少なくとも2つの自由度回転で移動する、項C4に記載の方法。
【００８８】
C7．前記汚物貯留槽は、ビークル加速度、迎え角、ビークルロール、ビークルピッチおよびビークルヨーに対応する3つの自由度回転で移動する、項C4に記載の方法。
【００８９】
C8．前記汚物貯留槽内に配置された少なくとも1つのバッフルを用いて、尿を前記汚物貯留槽内にせき止めるステップをさらに含む、項C1に記載の方法。
【００９０】
C9．前記流体ボウルのドレンに結合された一方向バルブを用いて、前記流体流れが前記流体ボウルに戻ることを防止するステップをさらに含む、項C1に記載の方法。
【００９１】
C10．前記流体ボウルに結合された衛生モジュールを用いて、流体ボウルを消毒することをさらに含む、項C1に記載の方法。
【００９２】
C11．消毒するステップが、脱臭剤および消毒剤ディスペンサの少なくとも1つを用いる消毒を含む、項C10に記載の方法。
【００９３】
C12．消毒するステップが、紫外線殺菌照射ユニットによる消毒を含む、項C10に記載の方法。
【００９４】
C13．前記無水小便器の存在検出器を用いて、ユーザの存在および不在のうちの1つまたは複数を検知するステップと、前記ユーザの前記存在および不在の前記1つまたは複数の検出時に前記流体ボウルを消毒するステップとをさらに含む、項C10に記載の方法。
【００９５】
C14．前記流体ボウルの流体保持容積が前記無水小便器カートリッジの流体保持容積を超える場合に、前記流体ボウルを用いて前記無水小便器カートリッジの流体内容物を収容することをさらに含む、項C1に記載の方法。
【００９６】
C15．前記流体ボウルのドレンおよびビークル汚物タンクに結合された自動フラッシュバルブ内の前記汚物貯留槽から尿を収集するステップをさらに含む、項C1に記載の方法。
【００９７】
C16．所定レベルの尿が前記自動フラッシュバルブ内に存在する場合、収集された尿を、前記ビークル汚物タンクに流すステップをさらに含む、項C15に記載の方法。
【００９８】
C17．前記収集された尿を前記自動フラッシュバルブによって流すとき、吸気消音器を含むベントラインを通して前記自動フラッシュバルブに空気を受け取るステップをさらに含む、項C16に記載の方法。
【００９９】
C18．前記収集された尿を前記自動フラッシュバルブから流す場合、ドレンと前記自動フラッシュバルブとの間に配置された流体流れ遮断バルブを用いて、前記流体ボウルの前記ドレンを密封するステップをさらに含む、項C17に記載の方法。
【０１００】
上記で参照した図面において、様々な要素および／または構成要素を接続する実線は、存在する場合、機械的、電気的、流体的、光学的、電磁的、無線および他の結合および／またはそれらの組合せを表す。本明細書中で使用される場合、「結合された」とは直接的および間接的に関連付けることを意味する。例えば、部材Aは、部材Bと直接的に関連していてもよいし、例えば他の部材Cを介して部材Bと間接的に関連していてもよい。様々な開示された要素間の全ての関係が必ずしも表されているわけではないことを理解されたい。したがって、図面に示されたもの以外の結合も存在し得る。存在する場合、様々な要素および／または構成要素を指定するブロックを接続する破線は、機能および目的が実線で示されるものと同様の結合を表すが、破線で表される結合は、選択的に提供されてもよく、または本開示の代替の実施例に関連してもよい。同様に、破線で表された要素および／または構成要素は、存在する場合、本開示の代替例を示す。本開示の範囲から逸脱することなく、実線および／または破線で示す1つまたは複数の要素を特定の例から省略することができる。環境要素がある場合は、点線で表示される。明瞭にするために、仮想（想像）要素も表示することができる。当業者であれば、図に示された形態のいくつかは、図、他の図面、および／または添付の開示に記載された他の形態を含む必要はなく、様々な方法で組み合わせることができ、またはこのような組合せは、本明細書に明示的に示されていないことを理解するであろう。同様に、提示された例に限定されない追加の形態は、本明細書に示され記載された形態の一部または全部と組み合わせられてもよい。
【０１０１】
上で言及した図4において、ブロックは、動作および／またはその一部を表すことができ、様々なブロックを接続する線は、動作またはその一部の特定の順序または依存性を暗示しない。破線で表されたブロックは、代替の動作および／またはその一部を示す。様々なブロックを接続する破線は、存在する場合、動作またはその一部の代替の依存関係を表す。様々な開示された動作の間の全ての依存性が必然的に表されるわけではないことを理解されたい。図4および本明細書に記載の方法の動作を説明する添付の開示は、動作が実行されるシーケンスを必ず決定するものと解釈すべきではない。むしろ、1つの例示的な順序が示されているが、動作のシーケンスは、適切なときに変更されてもよいことを理解すべきである。したがって、特定の動作は、異なる順序で、または同時に実行されてもよい。さらに、当業者であれば、説明した全ての動作を実行する必要はないことを理解するであろう。
【０１０２】
前述の説明では、開示された概念の完全な理解を提供するために、これらの詳細の一部または全部を用いずに実施することができる多くの具体的な詳細が示されている。他の例では、公知の装置および／またはプロセスの詳細は、開示を不必要に不明瞭にすることを避けるために省略されている。いくつかの概念は特定の例と関連して説明されるが、これらの例は限定を意図するものではないことを理解されたい。
【０１０３】
他に指示がない限り、用語「第1の」、「第2の」などは、単に標識として使用され、これらの用語が参照する項目に順番、位置、または階層の要件を課すことを意図しない。さらに、例えば「第2の」アイテムへの言及は、例えば「第1の」またはより低い番号のアイテム、および／または例えば「第3の」またはより高い番号のアイテムなどの存在を必要とする、または排除するものではない。
【０１０４】
本明細書において「一例」とは、例に関連して説明された1つまたは複数の形態、構造、または特性が、少なくとも1つの実装に含まれることを意味する。本明細書の様々な箇所における「一例」という語句は、同じ例を参照する、または参照しない場合がある。
【０１０５】
本明細書で使用されるように、指定された機能を実行するように「構成された」システム、装置、構造、項目、要素、構成要素、またはハードウェアは、さらなる変更の後、指定された機能を実行する可能性を単に有するのではなく、変更することなく、指定された機能を実行することが実際にできる。言い換えれば、指定された機能を実行するように「構成された」システム、装置、構造、項目、要素、構成要素またはハードウェアは、指定された機能を実行する目的で具体的に選択、作成、実装、利用、プログラムおよび／または設計される。本明細書で使用する「構成された」とは、さらなる変更を必要とせず、システム、装置、構造、項目、要素、構成要素、またはハードウェアが指定された機能を実行することを可能にするシステム、装置、構造、項目、要素、構成要素、またはハードウェアの既存の特徴を指す。この開示の目的のために、特定の機能を実行するように「構成された」と記載されたシステム、装置、構造、項目、要素、構成要素、またはハードウェアは、追加的または代替的に、その機能を実行するように「適した」および／または「動作可能な」と記載される場合がある。
【０１０６】
本明細書で開示される装置および方法の異なる例は、様々な構成要素、形態、および機能性を含む。本明細書に開示された装置および方法の様々な例は、任意の組合せの開示された装置および方法の他の例のいずれかの構成要素、形態および機能のいずれかを含むことができ、このような可能性は全て本開示の範囲内にあるものとすることを理解されたい。
【０１０７】
前述の説明および関連する図面に示された教示の利益を有する、本開示に関連する、本明細書に記載された実施例の多くの変更が当業者には思い浮かぶであろう。
【０１０８】
したがって、本開示は図示された特定の例に限定されるものではなく、変更および他の例は添付の特許請求の範囲内に含まれることが意図されていることを理解されたい。さらに、前述の説明および関連する図面は、要素および／または機能の特定の例示的な組合せの文脈で本開示の例を説明しているが、要素および／または機能の異なる組合せは、添付の特許請求の範囲から逸脱することなく実施することができることを理解されたい。したがって、添付の特許請求の範囲の括弧内の参照番号は、存在する場合、説明の目的でのみ提示されており、特許請求される主題の範囲を本開示で提供される特定の例に限定することを意図するものではない。
【符号の説明】
【０１０９】
100  ビークル、航空機
100F  フレーム
110  便器、トイレ
111  トイレ
113  シンク
114  便器
115  給水タンク
115P  ビークル給水配管
120  汚物タンク、ビークル汚物タンク
120P  汚物タンク配管
150  無水小便器システム
151  流体ボウル
151C  中心
151RL  流体保持リップ
152  無水小便器カートリッジ
152A  流体流路
152CA  ピボットカップリング
152CB  ピボットカップリング
152H  ハウジング
153  ドレン
154  一方向バルブ
155  無水小便器
160  衛生モジュール
161  ディスペンサ
161DA  脱臭剤
161DB  消毒剤
161S  スプレーノズル
162  紫外線殺菌照射ユニット
165  存在検出器
169  ユーザ
170  自動フラッシュバルブ
170S  センサ
180  ベントライン
180S  吸気消音器
180V  遮断バルブ
199  コントローラ
199A  コントローラ
200  汚物貯留槽
200C  外形
200E1  外周縁部
200E2  内周縁部
200X  開口部
201  排水口
210  カバー
211  密閉用流体貯留槽
211C  逆カップ
211W1  壁
211W2  壁
220  内部空隙部
260  制御機構
260G  ジンバルカップリング
260G2  2軸ジンバルカップリング
260G3  3軸ジンバルカップリング
261  バッフル
261C  外形
261CH  チャネル
261F  フレーム
261PE  周縁部
261S1  側面
261S2  側面
261SS  底面
280  ジンバルフレーム
280CA  ピボットカップリング
280CB  ピボットカップリング
280CC  ピボットカップリング
280CD  ピボットカップリング
281  ジンバルフレーム
281CA  ピボットカップリング
281CB  ピボットカップリング
282  ピボットカップリング
299  セミトロイダル形状
300  汚物貯留槽
399  面取り部
【図１Ａ】
2019051928.tif 000003
【図１Ｂ】
2019051928.tif 000004
【図２Ａ】
2019051928.tif 000005
【図２Ｂ】
2019051928.tif 000006
【図２Ｃ】
2019051928.tif 000007
【図２Ｄ】
2019051928.tif 000008
【図２Ｅ】
2019051928.tif 000009
【図２Ｆ】
2019051928.tif 000010
【図２Ｇ】
2019051928.tif 000011
【図２Ｈ】
2019051928.tif 000012
【図３Ａ】
2019051928.tif 000013
【図３Ｂ】
2019051928.tif 000014
【図３Ｃ】
2019051928.tif 000015
【図３Ｄ】
2019051928.tif 000016
【図４】
2019051928.tif 000017
【外国語明細書】
2019051928000001.pdf